(57)【要約】【課題】本発明は、利用者のニーズに対応でき、利用者の利便性が向上する画像通信装置の制御方法を提供することを目的とする。【解決手段】本発明の画像通信装置の制御方法によれば、通信管理レポートを利用者の所望の出力フォーマットに応じて出力部により通信管理レポートを回転出力する。【選択図】　　　　図２
2004056166.tif 000002
【特許請求の範囲】
【請求項１】
通信を行った通信履歴を管理する通信管理部と、前記通信履歴の情報を一覧とした通信管理レポートを必要に応じて画像回転を行って出力する出力部とを有する画像通信装置の制御方法において、
前記通信管理レポートを利用者の所望の出力フォーマットに応じて前記出力部により前記通信管理レポートを回転出力することを特徴とする画像通信装置の制御方法。
【請求項２】
回転出力する前記通信管理レポートに応じて印刷用紙の向きを変更する請求項１記載の画像通信装置の制御方法。
【請求項３】
前記通信管理レポートの１通当りの情報量に応じて出力フォーマットを設定する請求項１記載の画像通信装置の制御方法。
【請求項４】
前記情報量の切り替えは利用者が任意に選択する請求項３記載の画像通信装置の制御方法。
【発明の詳細な説明】
【０００１】
【発明の属する技術分野】
本発明は画像通信装置の制御方法に関し、詳細には通信を行った履歴を管理して通信履歴情報を一覧として通信管理レポートに印刷する画像通信装置に関する。
【０００２】
【従来の技術】
従来、通信装置においては、通信管理レポート自動出力に関して、通信管理レポートに関する選択結果がＡ４サイズ横置き用紙、９０度回転せずであったときには、例えば５０通信分の通信結果が貯まると通信管理レポートが出力される。また、Ａ４サイズ横置き用紙、９０度回転するであったときには、上記より少ない例えば３５通信分の通信結果が貯まると通信管理レポートが出力される。そして、Ａ４サイズ縦置き用紙、９０度回転せずであったときには、３５通信分の通信結果が貯まると通信管理レポートが出力される。
【０００３】
【発明が解決しようとする課題】
しかしながら、この場合、横方向に長い用紙へ通信管理情報を出力するときにその領域を活かしきれておらず、横方向の無駄な空白領域を持つ状態となっていた。また、情報量の切り替えは任意に選択したいという利用者のニーズに対応できなかった。更に、通信管理情報以外でも横方向に長い用紙への印刷を行った場合に、空白領域をもっと活用したいという利用者のニーズに対応できなかった。
【０００４】
本発明はこれらの問題点を解決するためのものであり、利用者のニーズに対応でき、利用者の利便性が向上する画像通信装置の制御方法を提供することを目的とする。
【０００５】
【課題を解決するための手段】
前記問題点を解決するために、本発明の画像通信装置の制御方法は、通信を行った通信履歴を管理する通信管理部と、通信履歴の情報を一覧とした通信管理レポートを必要に応じて画像回転を行って出力する出力部とを有する画像通信装置であって、通信管理レポートを利用者の所望の出力フォーマットに応じて出力部により通信管理レポートを回転出力する。よって、利用者の利便性が向上する。
【０００６】
また、回転出力する通信管理レポートに応じて印刷用紙の向きを変更することにより、用紙の空白領域を効率良く使用できる。更に、通信管理レポートの１通当りの情報量に応じて出力フォーマットを設定することにより、より一層用紙の空白領域を効率良く使用可能となる。また、情報量の切り替えは利用者が任意に選択することにより、利用者のニーズにも対応できる。
【０００７】
【発明の実施の形態】
本発明の画像通信装置の制御方法によれば、通信管理レポートを利用者の所望の出力フォーマットに応じて出力部により通信管理レポートを回転出力する。
【０００８】
【実施例】
図１は本発明の一実施例に係る画像通信装置の構成を示すブロック図である。本実施例の画像通信装置として、ファクシミリ装置を例として説明する。同図において、ファクシミリ装置１０は、ＣＰＵ１１、ＲＯＭ１２、ＲＡＭ１３、画像メモリ１４、操作部１５、表示部１６、画像読取部１７、画像出力部１８、符号化復号化部１９、モデム２０及び網制御部２１を含んで構成され、各構成部はデータバス２２によって接続されている。ここで、ＣＰＵ１１はＲＯＭ１２に書き込まれたプログラムに従って、ＲＡＭ１３を使用しながら画像メモリ１４、操作部１５、表示部１６、画像読取部１７、画像出力部１８、符号化復号化部１９、モデム２０及び網制御部２１を制御するものである。ＲＯＭ１２は、各種プログラムを格納する。ＲＡＭ１３は、画情報等の情報を一時格納するものである。画像メモリ１４は、画情報を必要に応じて蓄積保存する。操作部１５は、キー、ＬＥＤ、ＬＣＤ等を設けてユーザの入力操作を許す。表示部１６は、操作内容を表示する。画像読取部１７は、図示しないスキャナとインターフェースを取る。画像出力部１８は、プリンタエンジンとインターフェースを取り、画像や通信管理レポートを出力する。符号化復号化部１９は、ＦＡＸ通信に必要な画像情報の圧縮、伸長（ＪＰＥＧ圧縮・伸長を含む）を行う。モデム２０は、原稿を送信する。網制御部２１は、公衆回線網と電気的インターフェースを取る。
【０００９】
次に、本発明における画像通信装置の動作について、本発明における画像通信装置における基本動作概略のフローチャートである図２に従って説明する。
先ず、利用者が図１のＲＡＭ１３に保存された通信履歴情報を通信管理レポートとして一覧印刷するために、図１の操作部１５、表示部１６を用いてレポート印刷指示を行うと（ステップＳ１０１；ＹＥＳ）、表示部１６には通信管理レポートのフォーマットを選択するための表示が現れる。ここで利用者は選択せずに標準設定のフォーマットを使うことも可能であり、標準設定には利用者があらかじめよく利用するフォーマットをＲＡＭ１３に記憶させておく。そしてフォーマットを選択しないとするならば（ステップＳ１０２；ＮＯ）、標準フォーマット設定を読み込んで設定に従ったフォーマットで画像出力部１８は通信管理レポートを印刷する（ステップＳ１０３，Ｓ１０４）。ここでのフォーマットとは２種類あり、記録用紙を縦方向と横方向のどちらに使用するかによって決定される。通常、通信管理レポートにおける通信履歴は、１通信あたりの情報を行（横）方向に展開するものであり、記録用紙を縦方向に使う場合は、行方向には狭いので１通信あたりの使用可能な文字数は少なくなるが、その分、多くの通信に関して１枚の記録用紙に印刷できる。逆に、記録用紙を横方向にして使う場合は、１通信あたりの使用可能な文字数は多くなり、その分、１枚に印刷可能な通信履歴数は少なくなる。利用者は、１通信あたりの情報量が少なくても通信履歴数が多いレポートを望むなら、縦タイプのフォーマットでの印刷を選択する（ステップＳ１０６；ＮＯ、ステップＳ１０７）。逆に、通信履歴数は少なくても１通信あたりの情報量が多く分かり易いレポートを望むなら、横タイプのフォーマットでの印刷を選択する（ステップＳ１０６；ＹＥＳ、ステップＳ１０８）。これらの通信管理レポートにおける各フォーマットの例は、縦タイプを図３に、横タイプを図４に示す。ステップＳ１０２で利用者がフォーマットを選択した場合（ステップＳ１０２；ＹＥＳ）、標準設定は無視され、図１のＣＰＵ１１は選択したタイプのフォーマットを画像出力部１８に指示し、画像出力部１８は必要であれば画像回転を行いながら通信管理レポートを印刷する。本実施例では手動印刷の例について述べているが、ある一定数通信履歴情報がＲＡＭ１３に保存されたときに通信管理レポートが自動印刷される機能を持った画像通信装置でも、標準設定を用いることで、利用者の求めるフォーマットで通信管理レポートを印刷することができる。この場合、フォーマットタイプによって記録用紙１枚に印刷できる通信履歴数は変化するので、ＣＰＵ１１は適宜自動印刷のタイミングを調整するものとする。
【００１０】
なお、本実施例は、通信管理レポート以外の各種レポート・リスト類にも適用可能である。例えば１通信の終了時に印刷される通信結果レポートにおいて横タイプのフォーマットを適用した場合は、行方向に多くの情報が印刷できるので前記通信管理レポート同様、意味が通じ難い記号を使う必要が無くなり、利用者にとってより分かり易いレポートとなる。また、ワンタッチダイヤル等の電話帳リストにおいて適用した場合は、現在のワンタッチダイヤルには電話番号や宛先名称以外にも、宛名差し込み機能設定や発信元名称印字機能設定など多くの情報が登録できるので、それらの情報を印刷することができて利用者にとってより分かり易いレポートとなる。もちろん、多くのワンタッチダイヤルを一度に確認したい利用者は、縦タイプのフォーマットで印刷すれば良い。
【００１１】
また、本発明は上記実施例に限定されるものではなく、特許請求の範囲内の記載であれば多種の変形や置換可能であることは言うまでもない。
【００１２】
【発明の効果】
以上説明したように、本発明の画像通信装置の制御方法は、通信を行った通信履歴を管理する通信管理部と、通信履歴の情報を一覧とした通信管理レポートを必要に応じて画像回転を行って出力する出力部とを有する画像通信装置であって、通信管理レポートを利用者の所望の出力フォーマットに応じて出力部により通信管理レポートを回転出力する。よって、横方向に長い用紙へ通信管理レポートを印刷するときには、１通信あたりの１行に対する情報を多く記載できるので、従来はスペースの都合で記載しきれなかった情報や、省略せざるを得なかった文字列などを記載することができ、利用者の利便性が向上する。
【００１３】
また、回転出力する通信管理レポートに応じて印刷用紙の向きを変更することにより、用紙の空白領域を効率良く使用できる。更に、通信管理レポートの１通当りの情報量に応じて出力フォーマットを設定することにより、より一層用紙の空白領域を効率良く使用可能となる。また、情報量の切り替えは利用者が任意に選択することにより、１枚に印刷できる通信数の多さを優先したい、つまり縦方向に用紙を使用したいと考えるなど利用者のニーズにも対応できる。
【図面の簡単な説明】
【図１】本発明の一実施例に係る画像通信装置の構成を示すブロック図である。
【図２】本実施例の画像通信装置における動作を示すフローチャートである。
【図３】縦タイプの通信管理レポートの一例を示す図である。
【図４】横タイプの通信管理レポートの一例を示す図である。
【符号の説明】
１０；画像通信装置、１１；ＣＰＵ、１２；ＲＯＭ、１３；ＲＡＭ、
１４；画像メモリ、１５；操作部、１６；表示部、１７；画像読取部、
１８；画像出力部、１９；符号化復号化部、２０；モデム、２１；網制御部、
２２；内部バス。
【図１】
2004056166.tif 000003
【図２】
2004056166.tif 000004
【図３】
2004056166.tif 000005
【図４】
2004056166.tif 000006